(57)【要約】【課題】冷媒漏洩を検知した場合、この冷媒漏洩を検知した部屋に限らず、別の部屋のユーザに対しても冷媒漏洩を報知する。【解決手段】冷凍サイクルを構成する室外機２と複数の室内機３ａ，３ｂとが通信可能に接続された空気調和システム１は、冷凍サイクルからの冷媒の漏洩を検知する冷媒センサ７１ａ，７１ｂ，７２ａ，７２ｂと、冷媒センサ７１ａ，７１ｂ，７２ａ，７２ｂが冷媒の漏洩を検知したことを報知する表示部と、各室内機３ａ，３ｂに対応して設けられるリモコン４ａ，４ｂとを備える。冷媒の漏洩を報知する表示部は、各室内機３ａ，３ｂまたは各リモコン４ａ，４ｂに設けられている。【選択図】図１
2017053509.tif 000002
【特許請求の範囲】
【請求項１】
単一の冷凍サイクルを構成する室外機と複数の室内機とが通信可能に接続された空気調和システムであって、
前記冷凍サイクルからの冷媒の漏洩を検知する漏洩検知手段と、
前記漏洩検知手段が冷媒の漏洩を検知したことを報知する報知手段と、
各前記室内機に対応して設けられる複数のリモコンと、を備え、
各前記報知手段は、各前記室内機または各前記リモコンに設けられている、
ことを特徴とする空気調和システム。
【請求項２】
複数の冷凍サイクルを構成する複数の室外機と複数の室内機とが通信可能に接続された空気調和システムであって、
各前記冷凍サイクルからの冷媒の漏洩を検知する漏洩検知手段と、
前記漏洩検知手段が冷媒の漏洩を検知したことを報知する報知手段と、
各前記室内機に対応して設けられる複数のリモコンと、を備え、
各前記報知手段は、各前記室内機または各前記リモコンに設けられている、
ことを特徴とする空気調和システム。
【請求項３】
請求項１または請求項２に記載の空気調和システムであって、
報知手段を有する集中制御装置を更に備える、
ことを特徴とする空気調和システム。
【請求項４】
請求項３に記載の空気調和システムであって、
冷媒が漏洩した部屋の情報を前記集中制御装置に表示する、
ことを特徴とする空気調和システム。
【請求項５】
請求項３に記載の空気調和システムであって、
冷媒が漏洩した同一の冷凍サイクルで影響する範囲の情報を前記集中制御装置に表示する、
ことを特徴とする空気調和システム。
【請求項６】
請求項１または請求項２に記載の空気調和システムであって、
前記報知手段は、前記リモコンの運転／停止ボタンを操作しても報知を継続する、
ことを特徴とする空気調和システム。
【請求項７】
請求項６に記載の空気調和システムであって、
前記漏洩検知手段が冷媒の漏洩を検知した際に、冷凍サイクルを停止して、報知を継続する、
ことを特徴とする空気調和システム。
【請求項８】
請求項１または請求項２に記載の空気調和システムであって、
前記漏洩検知手段は冷媒センサであって、前記室内機に設けられ、
前記報知手段は、冷媒の漏洩を検知した冷媒センサが同室にある場合と別室にある場合とで報知内容を変える、
ことを特徴とする空気調和システム。
【請求項９】
請求項１または請求項２に記載の空気調和システムであって、
前記報知手段は、冷媒の漏洩を検知した場所または時間、冷媒の漏洩量、大気中の冷媒の濃度、冷媒の種類のいずれかを報知する、
ことを特徴とする空気調和システム。
【請求項１０】
冷凍サイクルを構成する室外機と複数の室内機とが通信可能に接続された空気調和システムの警告報知方法であって、
前記冷凍サイクルからの冷媒の漏洩を検知する漏洩検知手段と、
各前記室内機に対応して設けられる複数のリモコンと、
各前記室内機または各前記リモコンに設けられた報知手段と、
を備え、
前記漏洩検知手段は、前記冷凍サイクルからの冷媒の漏洩を検知し、
各前記報知手段は、それぞれ冷媒の漏洩を検知したことを報知する、
ことを特徴とする空気調和システムの警告報知方法。
【発明の詳細な説明】
【技術分野】
【０００１】
本発明は、冷媒漏洩検知手段を備えた空気調和システムおよび空気調和システムの警告報知方法に関する。
【背景技術】
【０００２】
従来、冷媒漏洩を報知する室内機については、特許文献１のような方法が知られている。特許文献１の段落００１７には、「センサＳが冷媒漏れを検知し、Ｓ２において、室内機１が運転中である場合は、本発明のリモコン２の送信部７から冷媒漏れを示す赤外線信号が送信され、室内機１の受信部９が受信して判定装置２４により冷媒漏れであることが判定され、出力リレー回路２７によりＬＥＤからなる冷媒漏れ警告装置２８が点滅されて使用者に冷媒漏れの危険が警告されるとともに、Ｓ５において、出力リレー回路２７により電源遮断装置２９が作動されて室内機１を含む冷凍装置への通電が遮断される。」と記載されている。
【先行技術文献】
【特許文献】
【０００３】
【特許文献１】特開２０００−３５２６７号公報
【発明の概要】
【発明が解決しようとする課題】
【０００４】
特許文献１に記載の方法では、冷媒漏れを検知したリモコン・室内機が設置された部屋にいるユーザに冷媒漏洩を報知することができるが、建物内の別の部屋にいるユーザには、この冷媒漏洩を報知することが出来ない。
冷媒の漏洩は早期に検知して対処すべきであり、冷媒が漏れている部屋以外の部屋に位置するユーザにも、この冷媒漏洩を報知する必要がある。
【０００５】
本発明は、冷媒漏洩を検知した場合、この冷媒漏洩を検知した部屋に限らず、別の部屋のユーザに対しても速やかに冷媒漏洩を報知することを課題とする。
【課題を解決するための手段】
【０００６】
前記した課題を解決するため、本発明の空気調和システムは、単一の冷凍サイクルを構成する室外機と複数の室内機とが通信可能に接続された空気調和システムであって、前記冷凍サイクルからの冷媒の漏洩を検知する漏洩検知手段と、前記漏洩検知手段が冷媒の漏洩を検知したことを報知する報知手段と、各前記室内機に対応して設けられる複数のリモコンとを備える。各前記報知手段は、各前記室内機または各前記リモコンに設けられていることを特徴とする。
その他の手段については、発明を実施するための形態のなかで説明する。
【発明の効果】
【０００７】
本発明によれば、冷媒漏洩を検知した場合、この冷媒漏洩を検知した部屋に限らず、別の部屋のユーザに対しても速やかに冷媒漏洩を報知することができる。
【図面の簡単な説明】
【０００８】
【図１】第１の実施形態における空気調和システムの構成図である。
【図２】空気調和システムの警告にかかるシーケンス図である。
【図３】冷媒漏洩の報知手段を備えたリモコンの外観図である。
【図４】冷媒漏洩の報知手段を備えた室内機の下面図である。
【図５】空気調和システムのモード遷移図である。
【図６】第２の実施形態における空気調和システムの構成図である。
【図７】空気調和システムの警告にかかるシーケンス図である。
【図８】冷媒漏洩の報知手段を備えた集中制御装置の外観図である。
【発明を実施するための形態】
【０００９】
以降、本発明を実施するための形態を、各図を参照して詳細に説明する。
図１は、第１の実施形態の空気調和システム構成図である。
空気調和システム１は、室外機２と複数台（図１では２台）の室内機３ａ，３ｂとが冷媒配管６３で接続されて構成された冷凍サイクルを有する。詳細は図示していないが、室外機２は、冷媒を圧縮する圧縮機と、冷媒と外気とを熱交換させる室外熱交換器とを備える。詳細は図示していないが、各室内機３ａ，３ｂは、室内空気と冷媒とを熱交換させる室内熱交換器と、熱交換した空気を室内へ送風する送風機とを備える。
【００１０】
室外機２と室内機３ａ，３ｂは、室外通信配線６１で通信可能に接続される。室内機３ａ，３ｂは、それぞれリモコン通信配線６２ａ，６２ｂを介してリモコン４ａ，４ｂに接続される。室内機３ａとリモコン４ａとは、居室５ａに設置されている。室内機３ｂとリモコン４ｂとは、居室５ｂに設置されている。
【００１１】
冷媒漏れを検知する冷媒センサ７１ａ，７１ｂは、それぞれ室内機３ａ，３ｂに設けられる。冷媒センサ７２ａ，７２ｂは、それぞれリモコン４ａ，４ｂに設けられる。第１の実施形態では、冷媒センサ７１ａ，７１ｂ，７２ａ，７２ｂは、室内機３ａ，３ｂとリモコン４ａ，４ｂの両方に設けているが、どちらか一方のみに設けてもよい。
以下、室内機３ａ，３ｂを特に区別しないときには、単に室内機３と記載する。リモコン通信配線６２ａ，６２ｂを特に区別しないときには、単にリモコン通信配線６２と記載する。リモコン４ａ，４ｂを特に区別しないときには、単にリモコン４と記載する。冷媒センサ７１ａ，７１ｂを特に区別しないときには、単に冷媒センサ７１と記載する。冷媒センサ７２ａ，７２ｂを特に区別しないときには、単に冷媒センサ７２と記載する。
【００１２】
以下に、居室５ａにて冷媒漏洩が発生した場合の動作例を説明する。
図２は、空気調和システム１の警告にかかるシーケンス図である。
この図２において、先ず冷媒センサ７１ａを室内機３ａに設けている形態で説明する。
冷媒センサ７１ａが冷媒漏れを検知した場合（シーケンスＱ１０）、室内機３ａは、接続されているリモコン４ａおよび室外機２に対して冷媒漏洩検知情報を送信する（シーケンスＱ１１，Ｑ１３）。これにより室内機３ａより冷媒漏洩検知情報を受信したリモコン４ａは、表示部４１（図３参照）に冷媒漏洩警報を表示する（シーケンスＱ１２）。
室内機３ａより冷媒漏洩検知情報を受信した室外機２は、接続されている室内機３ａ，３ｂに対して冷媒漏洩検知情報を一斉送信する（シーケンスＱ１４，Ｑ１５）。
室外機２より冷媒漏洩検知情報を受信した室内機３ｂは、接続されているリモコン４ｂに対して冷媒漏洩検知情報を送信する（シーケンスＱ１６）。
室内機３ｂより冷媒漏洩検知情報を受信したリモコン４ｂは、表示部４１（図３参照）に冷媒漏洩警報を表示する（シーケンスＱ１７）。これにより、居室５ａにおける冷媒漏洩を、居室５ｂに居るユーザに速やかに報知することができる。居室５ｂに居るユーザは、居室５ａにおいて冷媒漏洩の状態を詳細に把握し、迅速にサービスセンタなどに連絡することができる。
【００１３】
次に、冷媒センサ７２ａを、リモコン４ａに設けている形態で説明する。
冷媒センサ７２ａが冷媒漏れを検知した場合（シーケンスＱ１０ａ）、リモコン４ａは、接続されている室内機３ａに対して冷媒漏洩検知情報を送信する（シーケンスＱ１１ａ）とともに、表示部４１（図３参照）に冷媒漏洩警報を表示する（シーケンスＱ１２）。
リモコン４ａより冷媒漏洩検知情報を受信した室内機３ａは、接続されている室外機２に対して冷媒漏洩検知情報を送信する（シーケンスＱ１３）。以降の動作は、冷媒センサ７１を室内機３に設けている形態の動作例と同じである。これにより、冷媒漏洩が発生した冷媒系統内の全てのリモコン４によって、ユーザに冷媒漏洩を知らせることができる。
【００１４】
図３は、冷媒漏洩の報知手段を備えたリモコン４の例である。
リモコン４は、運転状態などを表示する表示部４１と、運転／停止ボタン４２と、十字ボタンにより温度や湿度などを操作できる操作部４３とを有する。
リモコン４は、室内機３より冷媒漏洩検知情報を受信した場合、表示部４１に冷媒漏洩警報メッセージ４１１を表示する。ここで冷媒漏洩警報メッセージ４１１には、冷媒の漏洩した居室名「会議室Ａ」と、漏洩した冷媒の種類、冷媒の大気中の濃度、冷媒の漏洩量、冷媒の漏洩を検知した時刻が表示される。これにより、冷媒が漏洩した居室の状況を容易に把握して、どのような装備で冷媒漏洩に対処すればよいかが明確となる。
【００１５】
冷媒漏洩警報は、図３ではメッセージを表示する形式で示しているが、「冷媒漏洩」のアイコンを表示する形式でもよい。これにより、リモコン４の表示部４１によって、ユーザに冷媒漏洩を知らせることができる。
【００１６】
冷媒漏洩警報は、この他にも、例えば「サポートセンターに連絡してください。電話番号は○○○−○○○−○○○○です。」のようなメッセージを表示してもよい。これにより、リモコン４の表示部４１によって、ユーザに冷媒漏洩発生時の行動指針についても知らせることができる。
【００１７】
冷媒漏洩警報は、この他にも、例えば「この部屋で冷媒漏洩を検知しました」「他の部屋で冷媒漏洩を検知しました」のように、冷媒漏れを検知した室内機３に接続されたリモコン４と、その他の室内機３に接続されたリモコン４とで表示するメッセージ内容を変えてもよい。これにより、リモコン４の表示部４１によって、ユーザに冷媒漏れを検知した場所の情報（室内機３や居室５を特定する情報）についても知らせることができる。
本実施形態では、冷媒漏洩警報として、表示部４１にメッセージやアイコンを表示する例を説明しているが、冷媒漏洩警報はスピーカ等による音声出力でもよい。
【００１８】
図４は、冷媒漏洩の報知手段を備えた室内機３の例であり、室内側に露出した筐体部分の下面図である。
室内機３は、室内に露出した筐体部分に空気吸込口３１と、空気吹出口３２ａ〜３２ｄと、表示部３３を有する。
室内機３は、自ら冷媒漏洩を検知した場合または冷媒漏洩検知情報を受信した場合に、表示部３３に冷媒漏洩警報を表示する。表示部３３は、例えば発光ダイオードであり、冷媒漏洩警報発生時には、この発光ダイオードを点灯させることにより、ユーザに警告を報知する。これにより、室内機３の表示部３３によって、ユーザに冷媒漏洩を知らせることができる。
【００１９】
図５は、空気調和システム１のモード遷移図である。
空気調和システム１が起動すると、モードＭ１０に示す停止状態に遷移する。この停止状態にて、ユーザから運転が指示されると、モードＭ１１に示す運転状態に遷移し、冷媒の漏洩が検知されると、モードＭ１２に示す異常停止状態に遷移し、図３、図４に示すように冷媒漏洩報知を開始する。
【００２０】
空気調和システム１は、運転状態にてユーザから停止が指示されると、モードＭ１０に示す停止状態に遷移し、冷媒の漏洩が検知されると、モードＭ１２に示す異常停止状態に遷移し、図３、図４に示すように冷媒漏洩報知を開始する。
【００２１】
モードＭ１２に示す異常停止状態に遷移し、図３、図４に示すように冷媒漏洩の報知を開始した後は、リモコン４の操作部４３や運転／停止ボタン４２が操作されても、冷媒漏洩警報の表示を継続する。これにより、ユーザのリモコン４の操作で誤って冷媒漏洩の警報表示が解除されることを防ぐことができる。
【００２２】
モードＭ１２に示す異常停止状態に遷移し、図３、図４に示すように冷媒漏洩の報知を開始した後は、圧縮機などの運転を停止させ冷凍サイクルを停止させている。これにより冷媒漏洩の拡大を防ぎ、その上で冷媒漏洩の警報表示を継続することができる。異常停止状態にて、適切に漏洩部位が修理されたならば、モードＭ１０に示す停止状態に遷移する。
【００２３】
第１の実施形態では、冷媒漏洩検知手段として冷媒センサを使用した例で説明しているが、冷媒漏洩検知手段は、冷媒センサを使用せずに、冷凍サイクル内の冷媒量を判定し、その結果に基づいて冷媒漏洩を検知してもよい。
【００２４】
以下にて、第２の実施形態を説明する。
図６は、第２の実施形態の空気調和システム１Ａの構成図を示しており、第１の実施形態と同一の構成要素は同一の符号で示している。
空気調和システム１Ａは、図１と異なり、複数の冷凍サイクルを構成する室外機２と複数の室内機３とを含み、更に集中制御装置８を含んで構成されている。
室外機２ａと、室内機３ａ，３ｂとは、図１と同様に冷媒配管６３ａで接続されて、第１の冷凍サイクルを構成している。室外機２ａと室内機３ａ，３ｂとは、室外通信配線６１で通信可能に接続され、室内機３ａ，３ｂは、それぞれリモコン通信配線６２ａ，６２ｂを介してリモコン４ａ，４ｂに接続されている。室内機３ａとリモコン４ａとは、居室５ａに設置されている。室内機３ｂとリモコン４ｂとは、居室５ｂに設置されている。
【００２５】
室外機２ｂと、室内機３ｃ，３ｄとは、冷媒配管６３ｂで接続されて、第２の冷凍サイクルを構成している。室外機２ｂと室内機３ｃ，３ｄとは、室外通信配線６１で通信可能に接続され、室内機３ｃ，３ｄは、それぞれリモコン通信配線６２ｃ，６２ｄを介してリモコン４ｃ，４ｄに接続されている。室内機３ｃとリモコン４ｃとは、居室５ｃに設置されている。室内機３ｄとリモコン４ｄとは、居室５ｄに設置されている。
【００２６】
第２の実施形態にて、冷媒漏れを検知する冷媒センサ７１ａ〜７１ｄは、室内機３ａ〜３ｄに設ける。冷媒漏れを検知する冷媒センサ７２ａ〜７２ｄは、リモコン４ａ〜４ｄに設ける。第２の実施形態では、冷媒センサ７１，７２は、室内機３とリモコン４の両方に設けているが、どちらか一方のみでもよい。
以下、室内機３ａ〜３ｄを特に区別しないときには、単に室内機３と記載する。リモコン通信配線６２ａ〜６２ｄを特に区別しないときには、単にリモコン通信配線６２と記載する。リモコン４ａ〜４ｄを特に区別しないときには、単にリモコン４と記載する。冷媒センサ７１ａ〜７１ｄを特に区別しないときには、単に冷媒センサ７１と記載する。冷媒センサ７２ａ〜７２ｄを特に区別しないときには、単に冷媒センサ７２と記載する。
【００２７】
集中制御装置８は、複数の異なる冷凍サイクルの室外機２ａ，２ｂと、室内機３ａ，３ｂ，３ｃ，３ｄと室外通信配線６１で接続され、接続された冷凍サイクル（冷媒系統）の運転状態表示、運転制御が可能である。
なお、冷凍サイクルは２系統に限定されない。また、集中制御装置８は、第１の実施形態のように１系統の冷凍サイクルを備えた空気調和システム１に設けられてもよい。
【００２８】
以下に、居室５ｄにて冷媒漏洩が発生した場合の動作例を説明する。
図７は、空気調和システム１Ａの警告にかかるシーケンス図である。なお、図７では集中制御装置８を、「集中制御」と省略して記載している。
この図７において、先ず冷媒センサ７１ｄを室内機３ｄに設けている形態で説明する。
冷媒センサ７１ｄが冷媒漏れを検知した場合（シーケンスＱ３０）、室内機３ｄは、接続されているリモコン４ｄおよび集中制御装置８に対して冷媒漏洩検知情報を送信する（シーケンスＱ３１，Ｑ３３）。これにより室内機３ｄより冷媒漏洩検知情報を受信したリモコン４ｄは、表示部４１（図３参照）に冷媒漏洩警報を表示する（シーケンスＱ３２）。
室内機３ｄより冷媒漏洩検知情報を受信した集中制御装置８は、接続されている室内機３ａ〜３ｄに対して冷媒漏洩検知情報を一斉送信し（シーケンスＱ３４〜Ｑ３７）、表示部８１（図８参照）に冷媒漏洩警報を表示する（シーケンスＱ３８）。
【００２９】
集中制御装置８より冷媒漏洩検知情報を受信した室内機３ａは、接続されているリモコン４ａに対して冷媒漏洩検知情報を送信し（シーケンスＱ３９）、リモコン４ａは表示部４１に冷媒漏洩警報を表示する（シーケンスＱ４０）。
集中制御装置８より冷媒漏洩検知情報を受信した室内機３ｂは、接続されているリモコン４ｂに対して冷媒漏洩検知情報を送信し（シーケンスＱ４１）、リモコン４ｂは表示部４１に冷媒漏洩警報を表示する（シーケンスＱ４２）。
集中制御装置８より冷媒漏洩検知情報を受信した室内機３ｃは、接続されているリモコン４ｃに対して冷媒漏洩検知情報を送信し（シーケンスＱ４３）、リモコン４ｃは表示部４１に冷媒漏洩警報を表示する（シーケンスＱ４４）。
【００３０】
次に、冷媒センサ７２をリモコン４に設けている形態で説明する。
冷媒センサ７２ｄが冷媒漏れを検知した場合（シーケンスＱ３０ａ）、リモコン４ｄは、接続されている室内機３ｄに対して冷媒漏洩検知情報を送信する（シーケンスＱ３１ａ）とともに、表示部４１（図３参照）に冷媒漏洩警報を表示する（シーケンスＱ３２）。
リモコン４ｄより冷媒漏洩検知情報を受信した室内機３ｄは、接続されている集中制御装置８に対して冷媒漏洩検知情報を送信する（シーケンスＱ３３）。以降の動作は、冷媒センサ７１を室内機３に設けている形態の動作例と同じである。これにより、冷媒漏洩が発生した冷媒系統（冷凍サイクル）のリモコン４に限らず、全冷媒系統のリモコン４によって、ユーザに冷媒漏洩を報知することができる。
【００３１】
図８は、冷媒漏洩の報知手段を備えた集中制御装置８の例である。
集中制御装置８は、接続された各室内機３ａ〜３ｄの運転状態などを表示する表示部８１と、運転／停止などを操作できる操作部８４を有する。この表示部８１には、各室内機３ａ〜３ｄの設置場所と、運転モードと設定風量とがそれぞれ表示されている。
集中制御装置８は、冷媒漏洩検知情報を受信した場合、表示部８１に、「系統内冷媒漏洩」と記載された同一系統内冷媒漏洩警報アイコン８２と、「冷媒漏洩検知」と記載された冷媒漏洩検知警報アイコン８３とを表示する。同一系統内冷媒漏洩警報アイコン８２は同一冷媒系統内の冷媒漏洩を示し、冷媒漏洩検知警報アイコン８３は、冷媒漏洩検知元を示している。この図８の例では、会議室Ｃの室内機３ｃと会議室Ｄの室内機３ｄとが同一冷媒系統であり、会議室Ｄの室内機３ｄが冷媒漏洩を検知した場合を示している。
【００３２】
更に同一系統内冷媒漏洩警報アイコン８２が表示されている会議室Ｃには、薄い警告色が付与されている。この会議室Ｃは、室内機３ｃが設置された居室５ｃに相当する。
冷媒漏洩検知警報アイコン８３が表示されている会議室Ｄには、濃い警告色が付与されている。この会議室Ｄは、室内機３ｄが設置された居室５ｄに相当する。
この図８では、会議室Ｄの室内機３ｄが冷媒漏洩を検知した場合の例を示している。これにより、集中制御装置８の表示部８１によって、ユーザに冷媒漏洩を知らせることができ、冷媒漏れを検知した場所の情報（室内機３や居室５を特定する情報）や、その警告の度合いについてもユーザに報知することができる。
【００３３】
（変形例）
本発明は上記した実施形態に限定されるものではなく、様々な変形例が含まれる。例えば上記した実施形態は、本発明を分かりやすく説明するために詳細に説明したものであり、必ずしも説明した全ての構成を備えるものに限定されるものではない。ある実施形態の構成の一部を他の実施形態の構成に置き換えることが可能であり、ある実施形態の構成に他の実施形態の構成を加えることも可能である。また、各実施形態の構成の一部について、他の構成の追加・削除・置換をすることも可能である。
【００３４】
各実施形態に於いて、制御線や情報線は、説明上必要と考えられるものを示しており、製品上必ずしも全ての制御線や情報線を示しているとは限らない。実際には、殆ど全ての構成が相互に接続されていると考えてもよい。
【符号の説明】
【００３５】
２，２ａ，２ｂ  室外機
３，３ａ〜３ｄ  室内機
３１  空気吸込口
３２ａ〜３２ｄ  空気吹出口
３３  表示部
４，４ａ〜４ｄ  リモコン
７１ａ〜７１ｄ，７２ａ〜７２ｄ  冷媒センサ
６１  室外通信配線
６２ａ〜６２ｄ  リモコン通信配線
５ａ〜５ｄ  居室
４１  リモコン表示部
４１１  冷媒漏洩警報メッセージ
４３  操作部
８  集中制御装置
８１  集中制御装置表示部
８２  同一系統内冷媒漏洩警報アイコン
８３  冷媒漏洩検知警報アイコン
８４  操作部
【図１】
2017053509.tif 000003
【図２】
2017053509.tif 000004
【図３】
2017053509.tif 000005
【図４】
2017053509.tif 000006
【図５】
2017053509.tif 000007
【図６】
2017053509.tif 000008
【図７】
2017053509.tif 000009
【図８】
2017053509.tif 000010